(57)【要約】【課題】実用的で安全性が高い伸縮式ホース構造を提供する。【解決手段】  伸縮式ホース構造は、内管１０、外管２０及び継手部材３０を備える。内管１０は、適宜な長さを有し、それが有する弾性により伸縮可能である。外管２０は、内管１０の外径より大きな内径を有して内管１０の外側を覆い、弾性を有するとともに蛇腹部２１が圧縮された状態に形成され、外管２０が伸びた状態の長さは、内管１０の元々の長さより大きい。継手部材３０は、内管１０及び外管２０の端部に取り付けられ、内管１０を嵌合させる筒受部３１を有する。継手部材３０には、外管２０に嵌合させる位置決めスリーブ３２が取り付けられる。位置決めスリーブ３２は、管径が筒受部３１より略大きく、その端縁に交互に形成された複数の切欠溝３２１により位置決めスリーブ３２に伸縮弾性が付与され、内周壁に嵌合歯部３２２が形成され、外管２０及び内管１０を詰め物に嵌合させる。【選択図】図２
0003183804.tif 000002
【実用新案登録請求の範囲】
【請求項１】
内管、外管及び継手部材を備えた伸縮式ホース構造であって、
内管は、適宜な長さを有し、それが有する弾性により伸縮可能であり、
外管は、内管の外径より大きな内径を有して内管の外側を覆い、弾性を有するとともに蛇腹部が圧縮された状態に形成され、外管が伸びた状態の長さは、内管の元の長さより大きく、
継手部材は、内管及び外管の端部に取り付けられ、内管を嵌合させる筒受部を有することを特徴とする伸縮式ホース構造。
【請求項２】
継手部材には、外管に嵌合させる位置決めスリーブが取り付けられ、
位置決めスリーブは、管径が筒受部より略大きく、その端縁に交互に形成された複数の切欠溝により位置決めスリーブに伸縮弾性が付与され、  内周壁に嵌合歯部が形成され、外管及び内管を詰め物に嵌合させることを特徴とする請求項１に記載の伸縮式ホース構造。
【請求項３】
継手部材の筒受部には、外周に外周壁が形成されるとともに、表面に雄ねじ部の螺接部を有し、螺合スリーブが螺合されることを特徴とする請求項１又は２に記載の伸縮式ホース構造。
【請求項４】
位置決めスリーブの外壁には、上から下方向へかけて徐々に小さくなるテーパ状の斜面が形成され、螺合スリーブの底側に形成された穿孔には、位置決めスリーブに対応して徐々に小さくなるテーパ状の斜面が形成され、螺合スリーブを螺接部に螺接させる際、位置決めスリーブが徐々に高圧力で押圧され、継手部材と内管及び外管との組み合わせ強度を高めることを特徴とする請求項３に記載の伸縮式ホース構造。
【請求項５】
前記継手部材は迅速継手であることを特徴とする請求項１に記載の伸縮式ホース構造。
【請求項６】
継手部材から内管へ水が供給されると、内管の管径及び長さが水圧を受けて短時間のうちに増大し、内管の外側を覆う蛇腹部を含む外管が伸張するため、ホースの出水量及び水圧が外管が覆われているにも関わらず低下することがなく、外管が有する弾性により蛇腹部を減らし、内管へ水が入ると外管が膨張して伸張し、蛇腹部が伸びて内管の外側に密着するため、ホースの長さがスムーズに伸びるとともに、外管の弾性が一定の伸び限度を有するため、ホースの内管により伸張される長さ及び管径が、外管の長さ及び弾性により制限され、内管及び外管が水圧により伸張されて破裂することを防ぐことを特徴とする請求項１に記載の伸縮式ホース構造。
【考案の詳細な説明】
【技術分野】
【０００１】
本考案は、ホース構造に関し、特に、伸縮式ホース構造に関する。
【背景技術】
【０００２】
図６及び図７に示すように、従来の伸縮式ホース構造のホース本体４０は、弾性内管４１、織り外管４２及び継手部材４３を含む。弾性内管４１は適宜な長さを有するとともに、弾性を有して伸縮可能である。織り外管４２は、弾性内管４１より大きな内径及び長さを有するとともに、弾性内管４１に外嵌される。織り外管４２は、弾性を備えず、弾性内管４１の長さに応じて蛇腹部が集中形成されている。継手部材４３は、弾性内管４１及び織り外管４２の端部に取り付けられる。継手部材４３は、弾性内管４１内に挿入して組み合わせる詰め物を有し、従来の伸縮式ホース構造が構成される。
【０００３】
しかし上述した従来技術の構造を詳細に見ると、以下の欠点があることが分かる。従来のホース本体４０の弾性内管４１が織り外管４２により覆われており、織り外管４２は弾性を備えず、弾性内管４１を組み合わせて多層の蛇腹が集中形成されているため、弾性内管４１に水が供給されると、弾性内管１０の管径が水圧により徐々に増大するが、弾性内管４１の外側を覆う織り外管４２が弾性を有さずに弾性内管１０が制限されて管径のサイズが押し広げられるため、弾性内管４１に供給される水の圧力及び流量が短時間で激減し、ホース本体４０の出水量が減る。弾性内管４１に水が供給されて弾性内管４１が押し広げられる際、織り外管４２に形成された蛇腹部分が弾性内管４１に干渉されてスムーズに伸びないため、伸縮ホースを使用する際、不便であるという欠点を有する。
【考案の概要】
【考案が解決しようとする課題】
【０００４】
本考案の課題は、内管及び該内管を覆う外管から構成されるホースであって、内管に供給される水圧及び水量が、従来のホース構造の如く、制限されず、大量供給が可能なホース構造を提供することにある。
【課題を解決するための手段】
【０００５】
そこで、本考案者は、上記の本考案の課題を解決するため鋭意検討を重ねた結果、外管に一定の弾性を付与することにより、上記課題を解決できることに着目し、本考案に想到した。
【０００６】
すなわち、本考案の主な目的は、ホースの外管及び内管がそれぞれ弾性を有し、継手部材から内管へ水が供給されて内管が伸張して拡大すると、内管の外側を覆う外管がそれに伴って伸張し、内管が増大するに従い蛇腹部が引っ張られて平らとなり、内管の外側に密着され、継手部材から内管へ供給された水の水圧及び流量が維持され、内管の水圧及び流量が内管を覆う外管により低減することはない上、ホースの長さをスムーズに伸ばすことができ、外管が有する一定の弾性により内管が水圧により破裂することを防ぐことができる、実用的で安全性が高い伸縮式ホース構造を提供することにある。
【０００７】
かくして、本考案によれば、内管、外管及び継手部材を備えた伸縮式ホース構造であって、内管は、適宜な長さを有し、それが有する弾性により伸縮可能であり、外管は、内管の外径より大きな内径を有して内管の外側を覆い、弾性を有するとともに蛇腹部が圧縮された状態に形成され、外管が伸びた状態の長さは、内管の元々の長さより大きく、継手部材は、内管及び外管の端部に取り付けられ、内管を嵌合させる筒受部を有することを特徴とする伸縮式ホース構造が提供される。
【０００８】
継手部材には、外管に嵌合させる位置決めスリーブが取り付けられ、位置決めスリーブは、管径が筒受部より略大きく、その端縁に交互に形成された複数の切欠溝により位置決めスリーブに伸縮弾性が付与され、内周壁に嵌合歯部が形成され、外管及び内管を詰め物に嵌合させることが好ましい。
【０００９】
継手部材の筒受部には、外周に外周壁が形成されるとともに、表面に雄ねじ部の螺接部を有し、螺合スリーブが螺合されることが好ましい。
【００１０】
位置決めスリーブの外壁には、上から下方向へかけて徐々に小さくなるテーパ状の斜面が形成され、螺合スリーブの底側に形成された穿孔には、位置決めスリーブに対応して徐々に小さくなるテーパ状の斜面が形成され、螺合スリーブを螺接部に螺接させる際、位置決めスリーブが徐々に高力で押圧され、継手部材と内管及び外管との組み合わせ強度を高めることが好ましい。
【００１１】
前記継手部材は迅速継手であることが好ましい。
【００１２】
継手部材から内管へ水が供給されると、内管の管径及び長さが水圧を受けて短時間のうちに増大し、内管の外側を覆う蛇腹部を含む外管が伸張するため、ホースの出水量及び水圧が外管が覆われているにも関わらず低下することがなく、外管が有する弾性により蛇腹部を減らし、内管へ水が入ると外管が膨張して伸張し、蛇腹部が伸びて内管の外側に密着されるため、ホースの長さがスムーズに伸びるとともに、外管の弾性が一定の伸び限度を有するため、ホースが内管により伸張される長さ及び管径が、外管の長さ及び弾性係数により制限され、内管及び外管が水圧により伸張されて破裂することを防ぐことが好ましい。
【考案の効果】
【００１３】
本考案は、上記の通りの構成からなるものであり、内管に供給された水の水圧及び流量が維持され、内管が水圧によりスムーズに伸長するので破裂を防止することができ、安全性にも優れた実用性の高いホース構造を提供することができる。
【図面の簡単な説明】
【００１４】
【図１】図１は、本考案の一実施形態に係る伸縮式ホース構造を示す斜視図である。
【図２】図２は、本考案の一実施形態に係る伸縮式ホース構造を示す分解斜視図である。
【図３】図３は、本考案の一実施形態に係る伸縮式ホース構造を示す断面図である。
【図４】図４は、本考案の一実施形態に係る伸縮式ホース構造を使用するときの状態を示す模式図である。
【図５】図５は、本考案の一実施形態に係る伸縮式ホース構造を使用するときに水が一杯に充填されるときの状態を示す断面図である。
【図６】図６は、従来の伸縮式ホース構造を使用していないときの状態を示す断面図である。
【図７】図７は、従来の伸縮式ホース構造を使用しているときの状態を示す断面図である。
【図８】図８は、本考案及び従来技術の外管の蛇腹部を示す部分拡大図である。
【考案を実施するための形態】
【００１５】
以下、本考案の実施形態について図面に基づいて説明する。なお、これによって本考案が限定されるものではない。
【００１６】
まず、図１及び図２を参照する。図１及び図２に示すように、本考案の一実施形態に係る伸縮式ホース構造は、少なくとも内管１０、外管２０及び継手部材３０から構成される。内管１０は、適宜な長さを有し、それが有する弾性係数により伸縮可能である。外管２０は、弾性織り布からなり、内管１０の外径より大きな内径を有するとともに、内管１０の外側を覆う。外管２０は、弾性を有するとともに蛇腹部２１が圧縮された状態に形成され、外管２０が伸ばされると、内管１０の元々の長さの２倍〜３倍となる。継手部材３０は、内管１０及び外管２０の端部に取り付けられる。継手部材３０は、内管１０を嵌合させて取り付けるために用いる筒受部３１を有する。継手部材３０には、外管２０の表面に嵌合させる位置決めスリーブ３２が取り付けられる。位置決めスリーブ３２は、管径が筒受部３１より略大きく、その端縁に交互に形成された複数の切欠溝３２１を利用して位置決めスリーブ３２に伸縮弾性を付与し、内周壁に嵌合歯部３２２を形成し、外管２０及び内管１０を筒受部３１上に嵌合させ、継手部材３０の筒受部３１外周に外周壁３３が形成されるとともに、表面に雄ねじ部の螺接部３３１が形成され、螺合スリーブ３４により螺合される。位置決めスリーブ３２の外壁には、上から下方向へかけて徐々に小さくなるテーパ状の斜面が形成され、螺合スリーブ３４の底側に形成された穿孔には、位置決めスリーブ３２に対応した、徐々に小さくなるテーパ状の斜面が形成されている。
【００１７】
図２及び図３に示すように、外管２０は、内管１０に外嵌されるとともに、内管１０と同じ長さに形成された蛇腹部２１が弾性圧縮され、内管１０及び外管２０の端部に継手部材３０が取り付けられている。継手部材３０は、筒受部３１を介して内管１０に嵌合され、外管２０に外嵌された位置決めスリーブ３２を提供する上、位置決めスリーブ３２の嵌合歯部３２２を利用して、継手部材３０の筒受部３１上に外管２０及び内管１０を嵌合し、継手部材３０の筒受部３１外周には、外周壁３３が形成され、外表面に雄ねじ部の螺接部３３１が形成され、螺合スリーブ３４が螺接部３３１に螺設され、位置決めスリーブ３２の外壁及び螺合スリーブ３４の底側に形成された穿孔が徐々に小さくなる斜面に対応して形成され、螺合スリーブ３４が外周壁３３の螺接部３３１に螺入されるに伴い位置決めスリーブ３２が高圧で徐々に押圧され、継手部材３０と内管１０及び外管２０との組み合わせ強度を高める。
【００１８】
その構造を実際に使用する際、図３に図４及び図５を併せて参照すると分かるように、庭や田畑の灌漑にスプレーを使用する場合、使用する際に継手部材３０を出水箇所へ固設し、ホースの他端の継手部材３０に噴水部材を組み合わせて、ユーザは散水する際使用することができる。継手部材３０は迅速継手又は雄ねじ部を有する螺設コネクタであり、ホースを介して継手部材３０を簡便に組み立てて接続し、使用することができる。内管１０及び外管２０は、弾性係数を有するため、ユーザが実際に蛇口を開くと、継手部材３０を介して水が内管１０に供給されると、瞬間的に水圧を受けて内管１０の管径及び長さが増大し、内管１０を被覆する、蛇腹部２１を有する外管２０が伸び、ホースの出水量及び水圧は、外管２０が被覆されることにより下がることが無く、外管２０は、それが有する弾性により蛇腹部２１が少なく、従来の比較により現れる蛇腹密度も大きくなり（図８参照）、内管１０に水が供給されて外管２０が膨張して広がると、蛇腹部２１が伸張して内管１０の外側に密着されるため、ホースの長さをスムーズに延ばすことができる。また外管２０の弾性が一定の伸張限度を有するため、ホースは、内管１０により伸張可能な長さ及び管径が、外管２０の長さ及び弾性係数により制限され、内管１０及び外管２０が水圧により広がって破裂することを防ぎ、使用後に水を止めると、内管１０及び外管２０の弾性回復により元の大きさに戻るため、使用する際の利便性が高い。
【００１９】
上述したことから分かるように、本考案の伸縮式ホース構造は、ホースの内管１０及び外管２０がそれぞれ弾性を備えており、継手部材３０から内管１０に水が供給されて伸びると、内管１０を覆う外管２０が伸びるため、内管１０の伸びに伴って蛇腹部２１が引っ張られて平らとなり、内管１０の外側に密着され、継手部材３０から内管１０に供給された水の水圧及び流量が維持され、内管１０の水圧及び流量は、外管２０が被覆されることにより下がることはなく、ホースの長さをスムーズに延ばし、外管２０が有する一定の弾性により内管１０が水圧により伸張して破裂することを防ぎ、出水して使用する際の実用性及び安全性を高めることができる。
【００２０】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２１】
１０  内管
２０  外管
２１  蛇腹部
３０  継手部材
３１  筒受部
３２  位置決めスリーブ
３３  外周壁
３４  螺合スリーブ
４０  ホース本体
４１  弾性内管
４２  織り外管
４３  継手部材
３２１  切欠溝
３２２  嵌合歯部
３３１  螺接部
【図１】
0003183804.tif 000003
【図２】
0003183804.tif 000004
【図３】
0003183804.tif 000005
【図４】
0003183804.tif 000006
【図５】
0003183804.tif 000007
【図６】
0003183804.tif 000008
【図７】
0003183804.tif 000009
【図８】
0003183804.tif 000010